(57)【要約】  制御装置（２）は、ＥＶ（１０）が備える蓄電池（１１）の充電開始の指示を検出すると、指定された時刻における蓄電池（１１）の蓄電量を推定する。そして、制御装置（２）は、推定した蓄電量と目標蓄電量とに基づいて不足電力量情報を取得する。また、制御装置（２）は、蓄電池（１１）の充電期間に節電制御が可能な１以上の機器のリストを生成する。そして、制御装置（２）は、取得した不足電力量情報と、生成したリストとを含む充電情報の表示を操作端末（３）に指示する。
2017090173.tif 000002
【特許請求の範囲】
【請求項１】
蓄電池の充電に関する充電情報をユーザインタフェース装置を介してユーザに提示する制御装置であって、
前記蓄電池の充電開始の指示を検出する指示検出手段と、
前記指示が検出されると、指定時刻における前記蓄電池の推定蓄電量と目標蓄電量とに基づいて得られた不足電力量情報と、前記蓄電池の充電期間に節電制御が可能な１以上の機器のリストとを含む前記充電情報の表示を前記ユーザインタフェース装置に指示する表示指示手段とを備える、制御装置。
【請求項２】
前記リストの各レコードには、当該レコードに対応する機器について、前記充電期間における非節電制御時での推定消費電力量から節電制御時の推定消費電力量を差し引いて得られた推定削減電力量が含まれる、請求項１に記載の制御装置。
【請求項３】
前記リストの各レコードには、節電制御が可能な機器と、節電制御の内容とが対応付けられた制御パターンが含まれており、
ユーザにより選択された制御パターンで示される機器を、前記選択された制御パターンで示される制御内容で制御する機器制御手段をさらに備える、請求項１又は２に記載の制御装置。
【請求項４】
前記指定時刻における前記蓄電池の推定蓄電量が前記目標蓄電量に達するように、前記リストから少なくとも１つの制御パターンを選択する自動選択手段をさらに備える、請求項３に記載の制御装置。
【請求項５】
前記リストにおいて、各レコードは、前記推定削減電力量が大きい順にソートされている、請求項２に記載の制御装置。
【請求項６】
蓄電池の充電開始の指示を検出し、
前記指示が検出されると、指定時刻における前記蓄電池の推定蓄電量と目標蓄電量とに基づいて得られた不足電力量情報と、前記蓄電池の充電期間に節電制御が可能な１以上の機器のリストとを含む充電情報の表示をユーザインタフェース装置に指示する、充電情報表示方法。
【請求項７】
コンピュータを、
蓄電池の充電開始の指示を検出する指示検出手段、
前記指示が検出されると、指定時刻における前記蓄電池の推定蓄電量と目標蓄電量とに基づいて得られた不足電力量情報と、前記蓄電池の充電期間に節電制御が可能な１以上の機器のリストとを含む充電情報の表示をユーザインタフェース装置に指示する表示指示手段として機能させる、プログラム。
【発明の詳細な説明】
【技術分野】
【０００１】
本発明は、制御装置、充電情報表示方法及びプログラムに関する。
【背景技術】
【０００２】
動力源として電気を使用する電気自動車が普及している。ユーザは、例えば自宅に設置した充電設備によって、電気自動車に搭載された蓄電池を充電することができる。電気自動車への充電に関し、特許文献１には、蓄電池の予約充電を行うことができる装置が開示されている。
【先行技術文献】
【特許文献】
【０００３】
【特許文献１】特開２０１０−１５４６４６号公報
【発明の概要】
【発明が解決しようとする課題】
【０００４】
ところで、電気自動車に搭載された蓄電池の充電や放電を制御するパワーコンディショニングシステム（ＰＣＳ）において、近年、宅内の電力需要に応じて単位時間あたりの充電電力を変化させるものが知られている。【０００５】
このようなＰＣＳによる充電では、充電を指示した時刻から使用予定時刻、即ち、電気自動車を使用する時刻までの時間が短い場合、使用予定時刻までに、蓄電池の蓄電量が使用のために必要となる蓄電量（目標蓄電量）に達しないことも多々あり得る。このように充電期間が短い場合、ユーザは、宅内の電力需要を下げるため、電気機器の運転を停止したり、運転能力を下げるなどの節電を行う必要がある。【０００６】
上記のように宅内の電力需要を下げることで、蓄電池の単位時間あたりの充電電力を増加させることができる。しかし、その反面、宅内の電気機器が節電運転されるため、ユーザの快適性や利便性が損なわれてしまう虞がある。【０００７】
本発明は、上記課題を解決するためになされたものであり、蓄電池の充電期間に的確な節電を行えるようにするための情報をユーザに提示することができる制御装置等を提供することを目的とする。
【課題を解決するための手段】
【０００８】
上記目的を達成するため、本発明に係る制御装置は、
蓄電池の充電に関する充電情報をユーザインタフェース装置を介してユーザに提示する制御装置であって、
前記蓄電池の充電開始の指示を検出する指示検出手段と、
前記指示が検出されると、指定時刻における前記蓄電池の推定蓄電量と目標蓄電量とに基づいて得られた不足電力量情報と、前記蓄電池の充電期間に節電制御が可能な１以上の機器のリストとを含む前記充電情報の表示を前記ユーザインタフェース装置に指示する表示指示手段とを備える。
【発明の効果】
【０００９】
本発明によれば、不足電力量情報と、節電制御が可能な機器のリストとを含む充電情報をユーザインタフェース装置に表示させるため、蓄電池の充電期間に的確な節電を行えるようにするための情報をユーザに提示することができる。
【図面の簡単な説明】
【００１０】
【図１】本発明の実施形態に係るエネルギー管理システムの全体構成を示す図である。
【図２】制御装置のハードウェア構成を示すブロック図である。
【図３】制御装置が備える二次記憶装置に記憶されるデータベース等を説明するための図である。
【図４】制御装置の機能構成を示すブロック図である。
【図５】充電指示画面の一例を示す図である。
【図６】充電情報画面の一例を示す図である。
【図７】制御パターンの選択について説明するための図である。
【図８】充電情報表示処理の手順を示すフローチャートである。
【図９】制御パラメータの自動選択について説明するための図である。
【図１０】他の実施形態に係るエネルギー管理システムの全体構成を示す図である。
【発明を実施するための形態】
【００１１】
以下、本発明の実施形態について図面を参照して詳細に説明する。
【００１２】
図１は、本発明の実施形態に係るエネルギー管理システム１の全体構成を示す図である。このエネルギー管理システム１は、一般家庭で使用される電力の管理を行う、いわゆる、ＨＥＭＳ（Home Energy Management System）と呼ばれるシステムである。エネルギー管理システム１は、制御装置２と、操作端末３と、電力測定装置４と、ＥＶ−ＰＣＳ５と、ＰＶ−ＰＣＳ６とを備える。
【００１３】
制御装置２は、家屋Ｈ内の適切な場所に設置され、この家庭（需要地）において消費される電力の監視を行い、電力の消費状況を操作端末３を介して表示する。また、制御装置２は、複数の機器７（機器７−１，７−２，…）の動作制御や動作状態の監視などを行う。制御装置２の詳細については後述する。
【００１４】
操作端末３（ユーザインタフェース装置）は、押しボタン、タッチパネル、タッチパッド等の入力デバイスと、有機ＥＬディスプレイ、液晶ディスプレイ等の表示デバイスと、通信インタフェースとを備えた、例えば、スマートフォンやタブレット端末等の携帯機器である。操作端末３は、制御装置２と、Ｗｉ−Ｆｉ（登録商標）、Ｗｉ−ＳＵＮ（登録商標）や有線ＬＡＮ等の周知の通信規格に則った通信を行う。操作端末３は、ユーザからの操作を受け付け、受け付けた操作内容を示す情報を制御装置２に送信する。また、操作端末３は、制御装置２から送信された、ユーザに提示するための情報を受信し、受信した情報を表示する。このように、操作端末３は、ユーザとのインタフェース（ユーザインタフェース）としての役割を担う。
【００１５】
電力測定装置４は、この家庭（需要地）における複数の電力線Ｄ１〜Ｄ３，Ｄ５，Ｄ６のそれぞれを送電される電力の値を測定する。電力線Ｄ１は、商用電源８とＥＶ−ＰＣＳ５との間に配設され、電力線Ｄ２は、ＥＶ−ＰＣＳ５と分電盤９との間に配設され、電力線Ｄ３は、ＰＶ−ＰＣＳ６とＥＶ−ＰＣＳ５との間に配設されている。また、電力線Ｄ５は、分電盤９と機器７−１との間に配線され、電力線Ｄ６は、分電盤９と機器７−２との間に配線されている。
【００１６】
電力測定装置４は、電力線Ｄ１〜Ｄ３，Ｄ５，Ｄ６にそれぞれ接続されたＣＴ（Current Transformer）１〜３，７，８の各々と通信線を介して接続される。ＣＴ１〜３，７，８は、交流電流を測定するセンサである。電力測定装置４は、ＣＴ１の測定結果に基づいて電力線Ｄ１における電力値を測定する。同様に、電力測定装置４は、ＣＴ２，３，７，８の測定結果に基づいて電力線Ｄ２，Ｄ３，Ｄ５，Ｄ６における電力値を測定する。
【００１７】
また、電力測定装置４は、無線通信インタフェースを備え、家屋Ｈ内に構築された無線ネットワーク（図示せず）を介して、制御装置２と通信可能に接続する。この無線ネットワークは、例えば、エコーネットライト（ＥＣＨＯＮＥＴ  Ｌｉｔｅ）に準じたネットワークである。なお、電力測定装置４は、外付けの通信アダプタ（図示せず）を介して、この無線ネットワークに接続される仕様であってもよい。
【００１８】
電力測定装置４は、制御装置２からの要求に応答して、測定した電力線Ｄ１の電力値を格納した測定データを生成し、制御装置２に送信する。この測定データには、電力測定装置４の機器アドレス、電力線ＤのＩＤ（identification）、測定時刻も格納されている。同様に、電力測定装置４は、制御装置２からの要求に応答して、測定した電力線Ｄ２，Ｄ３，Ｄ５，Ｄ６の電力値を格納した測定データをそれぞれ生成し、制御装置２に送信する。なお、電力測定装置４は、制御装置２からの要求に応答して、電力線Ｄ１〜Ｄ３，Ｄ５，Ｄ６の電力値を全て格納した測定データを生成して制御装置２に送信してもよい。
【００１９】
ＥＶ−ＰＣＳ５は、ＥＶ（電気自動車）１０用のパワーコンディショニングシステムである。ＥＶ−ＰＣＳ５は、ＥＶ１０に搭載されている蓄電池１１の充電及び放電の制御を行う。ＥＶ−ＰＣＳ５は、蓄電池１１の充電時には、商用電源８やＰＶ−ＰＣＳ６からの電力を電力線Ｄ４を介して蓄電池１１に供給する。また、ＥＶ−ＰＣＳ５は、蓄電池１１の放電時には、蓄電池１１からの電力を電力線Ｄ４，Ｄ２を介して分電盤９に供給する。
【００２０】
ＥＶ−ＰＣＳ５は、充電及び放電の制御を行うため、電力線Ｄ１，Ｄ３，Ｄ４のそれぞれを送電される電力の値を測定する。ＥＶ−ＰＣＳ５は、電力線Ｄ１，Ｄ３，Ｄ４にそれぞれ接続されたＣＴ４，５，６の各々と通信線を介して接続される。ＥＶ−ＰＣＳ５は、ＣＴ４の測定結果に基づいて電力線Ｄ１における電力値を測定する。同様に、ＥＶ−ＰＣＳ５は、ＣＴ５，６の測定結果に基づいて電力線Ｄ３，Ｄ４における電力値を測定する。
【００２１】
ＥＶ−ＰＣＳ５は、専用の通信線を介して、制御装置２と通信可能に接続する。なお、ＥＶ−ＰＣＳ５は、家屋Ｈ内に構築された上述の無線ネットワークを介して、制御装置２と通信してもよい。
【００２２】
ＰＶ−ＰＣＳ６は、ＰＶ（太陽光発電）用のパワーコンディショニングシステムである。ＰＶ−ＰＣＳ６は、ＰＶパネル１２が発電した電気を直流電力から交流電力に変換し、電力線Ｄ３を介してＥＶ−ＰＣＳ５に供給する。ＰＶ−ＰＣＳ６から供給された電力は、ＥＶ−ＰＣＳ５を介して分電盤９に供給されたり、蓄電池１１の充電に使用される。あるいは、ＰＶ−ＰＣＳ６から供給された電力は、商用電源８に供給されることもある（いわゆる売電）。
【００２３】
機器７（機器７−１，７−２，…）は、例えば、エアコン、照明器、床暖房システム、冷蔵庫、ＩＨ（Induction Heating）調理器、テレビ、給湯機等の電気機器である。機器７−１，７−２，…は、家屋Ｈ（敷地も含む）内に設置され、電力線Ｄ２から分電盤９により分岐された電力線Ｄ５，Ｄ６，…にそれぞれ接続されている。各機器７は、上述の図示しない無線ネットワークを介して、制御装置２と通信可能に接続する。なお、各機器７は、外付けの通信アダプタ（図示せず）を介して、この無線ネットワークに接続される仕様であってもよい。
【００２４】
各機器７は、制御装置２からの要求に応答して、機器ＩＤ（identification）と、現在時刻と、現在の運転状態を示す情報とを格納したデータ（運転状態データ）を制御装置２に送信する。
【００２５】
制御装置２は、図２に示すように、ＣＰＵ（Central Processing Unit）２０と、通信インタフェース２１と、ＲＯＭ（Read Only Memory）２２と、ＲＡＭ（Random Access Memory）２３と、二次記憶装置２４とを備える。これらの構成部は、バス２５を介して相互に接続される。ＣＰＵ２０は、この制御装置２を統括的に制御する。ＣＰＵ２０によって実現される機能の詳細については後述する。
【００２６】
通信インタフェース２１は、上述した無線ネットワークを介して電力測定装置４や各機器７と無線通信するためのＮＩＣ（Network Interface Card controller）と、操作端末３と無線通信又は有線通信するためのＮＩＣを含んで構成される。
【００２７】
ＲＯＭ２２は、複数のファームウェアやこれらのファームウェアの実行時に使用されるデータ等を記憶する。ＲＡＭ２３は、ＣＰＵ２０の作業領域として使用される。
【００２８】
二次記憶装置２４は、ＥＥＰＲＯＭ（Electrically Erasable Programmable Read-Only Memory）、フラッシュメモリ等の読み書き可能な不揮発性の半導体メモリやハードディスクドライブ等から構成される。二次記憶装置２４は、図３に示すように、電力ＤＢ２４０と、機器ＤＢ２４１と、運転スケジュール２４２とを記憶する。なお、この他にも、二次記憶装置２４は、この家庭で消費される電力を監視するためのプログラムや各機器７の動作を制御するためのプログラム、そして、これらのプログラムの実行時に使用されるデータ等を記憶する。
【００２９】
電力ＤＢ（電力データベース）２４０は、電力線毎に測定結果の履歴が格納されたデータベースである。ＣＰＵ２０は、一定時間毎に取得した電力測定装置４からの測定データに基づいて、電力ＤＢ２４０を更新する。
【００３０】
機器ＤＢ（機器データベース）２４１は、機器７毎に運転状態の履歴が格納されたデータベースである。運転状態には、例えば、電源状態（電源のオン／オフ）、運転有無（運転中／停止中）、運転モード、設定情報等が含まれる。運転モードとは、例えば、エアコンの場合では、冷房、暖房、送風、除湿等が該当し、炊飯器の場合では、炊飯、保温等が該当する。また、設定情報とは、エアコン等における設定温度（目標温度ともいう。）や風量等が該当する。ＣＰＵ２０は、一定時間毎に取得した各機器７からの運転状態データに基づいて、機器ＤＢ２４１を更新する。
【００３１】
運転スケジュール２４２は、各機器７の予め定めた期間における運転スケジュールを示すデータテーブルである。本実施形態では、運転スケジュール２４２には、各機器７の１日分（２４時間）の運転スケジュールを示すレコードが登録されている。各機器７の運転スケジュールには、運転の開始時刻及び終了時刻と運転状態とが対応付けられて格納される。運転スケジュール２４２は、ＣＰＵ２０によって、毎日の予め定めた時刻（例えば、午前０時）に生成され、二次記憶装置２４に格納される。
【００３２】
図４は、制御装置２の機能構成を示すブロック図である。制御装置２は、機能的には、ユーザインタフェース部２００と、電力値取得部２０１と、機器制御部２０２と、ＥＶ−ＰＣＳ制御部２０３と、運転スケジュール生成部２０４と、充電情報画面生成部２０５と、表示指示部２０６とを備える。これらの各機能部は、ＣＰＵ２０が二次記憶装置２４に記憶されている１又は複数のプログラムを実行することで実現される。
【００３３】
ユーザインタフェース部２００は、操作端末３を介したユーザインタフェース処理を行う。即ち、ユーザインタフェース部２００は、ユーザからの操作を操作端末３を介して受け付ける。また、ユーザインタフェース部２００は、ユーザに蓄電情報を提示するための画面（蓄電情報画面）を示すデータや、その他の情報を提示するための画面を示すデータ等を操作端末３に送信する。
【００３４】
電力値取得部２０１は、電力測定装置４から、測定された電力値を取得する処理を行う。具体的には、電力値取得部２０１は、一定時間間隔（例えば、３０秒間隔）で、電力測定装置４に対し、各電力線に対応する前述した測定データの送信を要求する。電力値取得部２０１は、かかる要求に応答して、電力測定装置４から送られてきた電力線毎の測定データを取得する。電力値取得部２０１は、取得した各測定データに基づいて、電力ＤＢ２４０を更新する。
【００３５】
機器制御部２０２は、各機器７から運転状態を取得する処理を行う。具体的には、機器制御部２０２は、一定時間間隔（例えば、３０秒間隔）で、各機器７に対し、運転状態データの送信を要求する。機器制御部２０２は、かかる要求に応答して、各機器７からそれぞれ送られてきた運転状態データを取得する。機器制御部２０２は、取得した各機器７の運転状態データに基づいて、機器ＤＢ２４１を更新する。
【００３６】
また、機器制御部２０２は、運転スケジュール２４２に基づいて各機器７の動作を自動的に制御する。さらに、機器制御部２０２は、操作端末３を介したユーザ操作に従って、指定された機器７を指定された内容で動作させることもできる。
【００３７】
ＥＶ−ＰＣＳ制御部２０３は、操作端末３を介して、ＥＶ１０の充電、即ち、蓄電池１１の充電開始の指示をユーザにより受けると、ＥＶ−ＰＣＳ５に対して充電開始を指示する。また、ＥＶ−ＰＣＳ制御部２０３は、充電情報画面生成部２０５からの要求に従って蓄電池１１の現在の蓄電量（残量）を取得する。ＥＶ−ＰＣＳ制御部２０３は、ＥＶ−ＰＣＳ５に蓄電量要求のコマンドを送信することで、蓄電池１１の残量を取得する。ＥＶ−ＰＣＳ制御部２０３は、取得した蓄電池１１の残量を充電情報画面生成部２０５に通知する。
【００３８】
運転スケジュール生成部２０４は、毎日の予め定めた時刻（例えば、午前０時）に、機器ＤＢ２４１の内容を参照して、運転スケジュール２４２を生成する。例えば、運転スケジュール生成部２０４は、各機器７の前日の運転状況に基づいて、各機器７の本日の運転スケジュールを推定する。あるいは、運転スケジュール生成部２０４は、過去１週間分の運転状況や、当日と同じ曜日の過去の運転状況等により、各機器７の本日の運転スケジュールを推定してもよい。
【００３９】
なお、制御装置２がカレンダー登録機能を備えている場合には、運転スケジュール生成部２０４は、カレンダー登録内容も加味して運転スケジュール２４２を生成する。カレンダー登録機能とは、ユーザにより予め登録されたイベントと、そのイベントの開始時刻とに基づいて、対応する機器７の動作を制御することができる機能である。ここで、イベントには、例えば、“外出（ＥＶ使用）”、“外出（ＥＶ未使用）”、“帰宅”などが含まれる。
【００４０】
また、運転スケジュール生成部２０４は、ユーザの操作によって、何れかの機器７の運転スケジュールが変更されると、かかる変更に合わせて運転スケジュール２４２を更新する。
【００４１】
充電情報画面生成部２０５は、操作端末３を介してユーザから蓄電池１１の充電開始の指示を受けると、蓄電池１１の充電に関する情報（充電情報）をユーザに提示するための画面（充電情報画面）を生成する。ユーザは、ユーザインタフェース部２００により操作端末３に表示される、図５に示すような画面（充電指示画面）を介して、蓄電池１１の充電に関する指示を入力することができる。
【００４２】
この充電指示画面を介して、ユーザは、外出予定時刻、即ち、ＥＶ１０を使用する時刻（時、分）と、目標蓄電量（ｋＷｈ）を入力する。なお、充電指示画面において、目標蓄電量として蓄電池１１の定格容量（例えば、２４ｋＷｈ）に対するパーセンテージの入力をユーザに求めるようにしてもよい。
【００４３】
ユーザによって、充電指示画面を介した上記の入力が完了し、“はい”ボタンが押下操作されると（即ち、充電開始の指示）、ユーザインタフェース部２００（指示検出手段）は、この充電開始の指示を検出し、ＥＶ−ＰＣＳ制御部２０３及び充電情報画面生成部２０５に、充電開始の指示を検出したことを通知する。
【００４４】
かかる通知を受けると、前述したように、ＥＶ−ＰＣＳ制御部２０３は、ＥＶ−ＰＣＳ５に対して充電開始を指示する。また、充電情報画面生成部２０５は、ＥＶ−ＰＣＳ制御部２０３に対して蓄電池１１の残量の取得を要求する。
【００４５】
充電情報画面生成部２０５は、ＥＶ−ＰＣＳ制御部２０３から蓄電池１１の残量の通知を受けると、蓄電池１１の蓄電量がユーザにより指定された目標蓄電量に達する時刻（充電完了時刻）を推定する。具体的には、充電情報画面生成部２０５は、蓄電池１１の残量と、商用電源８から供給される最大電力と、今後予測（推定）される予め定めた期間におけるＰＶの発電電力の推移と、この家庭において今後予測（推定）される予め定めた期間における消費電力の推移とに基づいて充電完了時刻を推定する。
【００４６】
本実施形態では、ＥＶ−ＰＣＳ５は、この家庭における電力需要に応じて、単位時間あたりの充電電力を多段階に変更することが可能である。具体的には、ＥＶ−ＰＣＳ５は、宅内に供給される総電力、即ち、商用電源８から供給される最大電力と発電電力を合算した総供給電力から総消費電力を差し引いて得られた電力（充電用最大電力）の範囲内で蓄電池を充電する。例えば、ＥＶ−ＰＣＳ５の最大充電能力が６ｋＷであり、充電用最大電力がこの最大充電能力より大きい場合、ＥＶ−ＰＣＳ５は、最大充電能力で蓄電池１１を充電する。一方、充電用最大電力が最大充電能力より小さい場合、例えば、充電用最大電力が４ｋＷの場合、ＥＶ−ＰＣＳ５は、単位時間あたり４ｋＷで蓄電池１１を充電する。
【００４７】
商用電源８から供給される最大電力は、電力会社との契約により決められており、予め二次記憶装置２４に記憶されているものとする。
【００４８】
今後の発電電力の推移は、過去の発電電力の推移に基づいて決定される。過去の発電電力の推移は、電力ＤＢ２４０から得ることができる。例えば、前日の発電電力の推移に基づいて今後の発電電力の推移を決定してもよいし、過去１週間分の発電電力の推移の平均等を算出することで決定してもよい。また、このような過去の発電電力の推移に、現在の天気あるいは今後予測される天気も加味して今後の発電電力の推移を決定してもよい。なお、天気についての情報は、例えば、外部のサーバから通信によって取得できるようにしてもよいし、図５の充電指示画面に天気に関する情報を入力するためのフィールドを追加して、ユーザの入力によって取得できるようにしてもよい。
【００４９】
また、今後の消費電力の推移は、過去の消費電力の推移に基づいて決定される。過去の消費電力の推移は、電力ＤＢ２４０から得ることができる。例えば、前日の消費電力の推移に基づいて今後の消費電力の推移を決定してもよいし、過去１週間分の消費電力の推移の平均や、本日と同じ曜日の過去の消費電力の推移の平均等を算出することで決定してもよい。また、このような過去の消費電力の推移に、運転スケジュール２４２の内容も加味して今後の消費電力の推移を決定してもよい。
【００５０】
なお、制御装置２がカレンダー登録機能を備えている場合には、充電情報画面生成部２０５は、過去の消費電力の推移と、カレンダー登録内容とに基づいて、今後の消費電力の推移を決定する。
【００５１】
充電情報画面生成部２０５は、上記のようにして推定した充電完了時刻が、ユーザにより指定された外出予定時刻（指定時刻）より後になる場合、外出予定時刻における蓄電池１１の蓄電量（残量）を推定する。そして、充電情報画面生成部２０５は、推定した蓄電量（推定蓄電量）と目標蓄電量とに基づいて不足電力量を算出する。
【００５２】
また、充電情報画面生成部２０５は、運転スケジュール２４２を参照して、蓄電池１１の充電期間に節電制御が可能な機器７を選択する。「節電制御が可能」とは、運転スケジュール２４２において予定された運転状態に基づく運転時よりも低消費電力での運転（停止も含む）が可能であることを意味する。
【００５３】
充電情報画面生成部２０５は、上記の条件を満たす機器７を全て選択すると、選択した機器７毎に、機器名と、制御内容と、予定される運転時間（使用予定時間）とを対応付けたレコードからなるリスト（機器リスト）を生成する。
【００５４】
機器名とは、例えば、“エアコン”、“床暖房”等、各機器７の一般的な名称や通称を示すものであり、例えば、操作端末３にて、各機器７についての情報を表示する際、ユーザが何れの機器７であるかを認識できるようにするために使用される。
【００５５】
制御内容とは、節電制御の内容を示し、例えば、暖房時のエアコンならば“設定温度−１度”、冷房時のエアコンならば“設定温度＋１度”等となる。なお、１つの機器７について、複数通りの節電制御が可能な場合、当該機器７について、制御内容が異なる複数のレコードが機器リストに登録される。
【００５６】
また、充電情報画面生成部２０５は、機器リストで示される機器７毎に、充電期間における、非節電制御時での消費電力量から節電制御時の消費電力量を差し引いた電力量（推定削減電力量）を算出する。非節電制御時及び節電制御時それぞれの消費電力量（推定消費電力量）は、電力ＤＢ２４０と機器ＤＢ２４１を参照することで算出される。なお、該当する制御内容での運転実績がない場合、充電情報画面生成部２０５は、当該機器７の仕様から理論的に推定消費電力量を算出する。また、同一の機器７について、制御内容が異なる複数のレコードが機器リストに登録されている場合、当該機器７について、各制御内容に応じた推定削減電力量が算出されることになる。充電情報画面生成部２０５は、算出した各推定削減電力量を機器リストの対応するレコードに追加する。
【００５７】
充電情報画面生成部２０５は、ユーザにより指定された外出予定時刻と、充電開始時刻と、推定した充電完了時刻と、算出した不足電力量と、生成した機器リストとを含む充電情報をユーザに提示するための充電情報画面を生成する。なお、充電完了時刻が、ユーザにより指定された外出予定時刻より前になる場合、不足電力量は算出されない。このため、その際の充電情報に含まれる不足電力量の値は“０（ｋＷｈ）”となる。
【００５８】
また、上記の充電開始時刻とは、図５に示す充電指示画面を介して、ユーザから充電開始の指示を受け付けた時刻をいう。充電情報画面生成部２０５は、充電情報画面を生成すると、表示指示部２０６に充電情報画面の生成が完了したことを通知する。
【００５９】
表示指示部２０６（表示指示手段）は、上記の通知を受けると、充電情報画面の表示をユーザインタフェース部２００を介して操作端末３に指示する。かかる指示を受けて操作端末３で表示される充電情報画面の一例を図６に示す。
【００６０】
図６に示すように、充電情報画面には、機器リストの各レコードに対応してチェックボックスが設けられており、ユーザは、かかるチェックボックスにチェックを入れることで、所望のレコード、即ち、所望の制御パターンを選択することができる（図７参照）。
【００６１】
ユーザによって、操作端末３に表示される充電情報画面を介して何れかの制御パターンが選択され、制御実行ボタンが押下操作されると、ユーザインタフェース部２００は、選択された制御パターンの内容を取得する。
【００６２】
ユーザインタフェース部２００は、取得した制御パターンの内容を運転スケジュール生成部２０４に通知する。かかる通知を受けると、運転スケジュール生成部２０４は、ユーザインタフェース部２００により取得された制御パターンの内容に基づいて、運転スケジュール２４２を更新する。
【００６３】
運転スケジュール２４２が更新されると、充電情報画面生成部２０５は、充電完了時刻を再度推定し、推定した充電完了時刻が、ユーザにより指定された外出予定時刻より後になる場合、不足電力量を再度算出する。充電情報画面生成部２０５は、推定した充電完了時刻及び算出した不足電力量に基づいて充電情報画面を更新する。そして、充電情報画面生成部２０５は、充電情報画面を更新したことを表示指示部２０６に通知する。
【００６４】
かかる通知を受けると、表示指示部２０６は、充電情報画面の更新をユーザインタフェース部２００を介して操作端末３に指示する。これにより、更新後の充電情報画面が操作端末３の液晶ディスプレイ等に表示される。
【００６５】
図８は、制御装置２によって実行される充電情報表示処理の手順を示すフローチャートである。この充電情報表示処理は、ユーザにより、図５に示す充電指示画面を介して充電開始の指示が行われることで開始される。
【００６６】
ＥＶ−ＰＣＳ制御部２０３は、ＥＶ−ＰＣＳ５に対して充電開始を指示する（ステップＳ１０１）と共に、ＥＶ−ＰＣＳ５から蓄電池１１の現在の蓄電量（残量）を取得する（ステップＳ１０２）。
【００６７】
充電情報画面生成部２０５は、取得された蓄電池１１の残量と、この家庭における電力の需要予測等とに基づいて充電完了時刻を推定する（ステップＳ１０３）。推定した充電完了時刻が、ユーザにより指定された外出予定時刻（指定時刻）より後になる場合（ステップＳ１０４；ＹＥＳ）、充電情報画面生成部２０５は、外出予定時刻において不足する電力量である不足電力量を算出する（ステップＳ１０５）。なお、推定した充電完了時刻が、外出予定時刻より前になる場合（ステップＳ１０４；ＮＯ）、不足電力量の値は、“０（ｋＷｈ）”に設定される。
【００６８】
充電情報画面生成部２０５は、蓄電池１１の充電期間に節電制御が可能な機器７を選択し（ステップＳ１０６）、選択した機器７毎に、機器名と、制御内容と、予定される運転時間とを対応付けたレコードからなる機器リストを生成する（ステップＳ１０８）。
【００６９】
充電情報画面生成部２０５は、機器リストの各レコード（即ち、各制御パターン）について、充電期間における推定削減電力量を算出し、算出した推定削減電力量を当該レコードに追加する（ステップＳ１０９）。
【００７０】
充電情報画面生成部２０５は、推定した充電完了時刻、算出した不足電力量、生成した機器リスト等を含む充電情報をユーザに提示するための充電情報画面を生成する（ステップＳ１１０）。表示指示部２０６は、生成された充電情報画面の表示をユーザインタフェース部２００を介して操作端末３に指示する（ステップＳ１１１）。かかる指示を受けた操作端末３は、液晶ディスプレイ等に図６に示すような充電情報画面を表示する。
【００７１】
以上説明したように、本発明の実施形態に係るエネルギー管理システム１では、ユーザからＥＶ１０が備える蓄電池１１の充電開始の指示を受けると、充電情報画面を操作端末３に表示する。この充電情報画面には、外出予定時刻における蓄電池１１の不足電力量が表示されるため、ユーザに対して、外出予定時刻において目標電力量に足らない電力量を直ちに認識させることができ、その結果、ユーザは、単位時間あたりの充電電力を増加させるための、即ち、充電速度を大きくするための節電対策を直ちに講じることが可能となる。
【００７２】
また、充電情報画面には、節電制御が可能な機器７と、節電制御の内容と、使用予定時間と、を対応付けた機器リストが表示される。これによりユーザは、蓄電池１１の充電期間に、容易且つ的確に節電を行うことができる。その結果、快適性や利便性をなるべく損なわずに蓄電池１１の単位時間あたりの充電電力を増加させることができ、外出予定時刻までに蓄電池１１に目標蓄電量を蓄えさせることが可能となる。
【００７３】
また、機器リストの各レコードには、推定削減電力量が含まれるため、ユーザは、節電制御の効果をより詳しく認識することができる。
【００７４】
さらに、ユーザは、機器リストから所望のレコード（制御パターン）を選択することで、自動的に節電制御を実行させることができるため、より容易且つ確実に蓄電池１１に目標蓄電量を蓄えさせることが可能となる。
【００７５】
なお、本発明は、上記の実施形態に限定されず、本発明の要旨を逸脱しない範囲での種々の変更は勿論可能である。
【００７６】
例えば、充電情報画面生成部２０５は、充電完了時刻が外出予定時刻より前になる場合でも外出予定時刻における蓄電池１１の蓄電量を推定し、推定した蓄電量（推定蓄電量）と目標蓄電量とに基づいて余裕電力量を算出してもよい。この余裕電力量は、推定蓄電量から目標蓄電量を差し引くことで得られる。そして、充電情報画面では、不足電力量に代えて余裕電力量が表示されるようにしてもよい。
【００７７】
また、充電情報画面において、不足電力量や上記の余裕電力量を、目標蓄電量に対するパーセンテージで表示してもよい。あるいは、充電情報画面において、外出予定時刻における蓄電池１１の蓄電量の状況を指標で表してもよい。この場合、例えば、“十分”、“普通”、“不足”の文字で表してもよいし、予め定めた、指標の程度に応じたアイコンを表示するようにしてもよい。
【００７８】
また、制御装置２が制御パターンを自動選択してもよい。この場合、図９に示すように、充電情報画面には自動選択ボタンが設けられている。ユーザにより、この自動選択ボタンが押下操作されると、充電情報画面生成部２０５（自動選択手段）は、不足電力量を補うための１又は複数の制御パターンを選択する。充電情報画面生成部２０５は、選択した結果を表示指示部２０６及びユーザインタフェース部２００を介して操作端末３に表示させる。これにより、充電情報画面において、充電情報画面生成部２０５により選択された制御パターンに対応するチェックボックスには、チェックが記入された状態となる。このように、制御パターンの自動選択機能を設けることで、ユーザの利便性がより一層向上する。
【００７９】
また、充電情報画面生成部２０５は、機器リストを生成する際、各レコードの並びを推定削減電力量が大きい順にソートしてもよい。
【００８０】
また、上記実施形態では、充電情報画面生成部２０５は、今後の消費電力の推移を過去の消費電力の推移に基づいて決定していたが、この手法に限定されず、当該家庭の家族構成等により定まる電力使用のパターンモデルを使用して決定してもよい。
【００８１】
また、上記実施形態では、ユーザインタフェース部２００は、ユーザによって、図５の充電指示画面を介した入力が完了し、“はい”ボタンが押下操作されることで、充電開始の指示を検出した。しかしながら、充電開始の指示を検出する手法は様々である。例えば、制御装置２がカレンダー登録機能を備えている場合には、ユーザインタフェース部２００は、ユーザにより“外出（ＥＶ使用）”を示すイベントが登録されることで、充電開始の指示を検出してもよい。
【００８２】
また、制御装置２は、充電開始の指示を受けた際、ＥＶ−ＰＣＳ５に対して必ずしも直ちに充電開始を指示する必要はない。例えば、充電開始の指示を受けた時刻から外出予定時刻までの時間が長い場合では、制御装置２は、外出予定時刻までの時間帯の中で電気料金単価が最も安くなる時間帯（あるいは、電気代が最も安くなる時間帯）に蓄電池１１が充電されるように充電開始を指示するタイミングを調整してもよい。
【００８３】
また、充電情報画面において、制御装置２の制御下にない機器（非制御機器）についての情報を表示するようにしても構わない。非制御機器は、この家庭で実際に使用されているか否かは問わず、一般的に家庭で使用される電気機器であり、例えば、ドライヤー、掃除機等である。この場合、制御装置２は、代表的な複数の非制御機器について、一定の使用時間（例えば、３０分）における標準的な消費電力量についての情報を予め保持しており、充電情報画面にかかる情報を含めて、操作端末３に表示させる。このようにすると、ユーザによる節電対策の幅を広げることができる。
【００８４】
また、制御装置２が、ユーザからの操作を受け付けるための入力デバイスと、ユーザに情報を提示するための表示デバイスをさらに含んで構成されるようにしてもよい。
【００８５】
また、上記の実施形態では、制御装置２が家屋Ｈに設置された場合について説明したが、制御装置２と同等の機能を有する装置を家屋Ｈの外に設置するようにしてもよい。
【００８６】
この場合の例を図１０に示す。この例では、家屋Ｈには、制御装置２の代わりにルータ１３が設置されている。一方、家屋Ｈの外には、ルータ１３とインターネットを介して通信可能に接続されるサーバ１４が設置されている。この場合、ルータ１３とサーバ１４とが協調して制御装置２の役割を果たす。
【００８７】
上記の実施形態では、ＣＰＵ２０によって二次記憶装置２４に記憶されている１又は複数のプログラムが実行されることで、制御装置２の各機能部（図４参照）が実現された。しかし、制御装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００８８】
また、上記の実施形態において、制御装置２によって実行されるプログラムは、ＣＤ−ＲＯＭ（Compact Disc Read Only Memory）、ＤＶＤ（Digital Versatile Disc）、ＭＯ（Magneto-Optical Disk）、ＵＳＢメモリ、メモリカード等のコンピュータ読み取り可能な記録媒体に格納して配布することも可能である。そして、かかるプログラムを特定の又は汎用のコンピュータにインストールすることによって、当該コンピュータを上記の実施形態における制御装置２として機能させることも可能である。
【００８９】
また、上記のプログラムをインターネット等の通信ネットワーク上のサーバ装置が有するディスク装置等に格納しておき、例えば、搬送波に重畳させて、コンピュータにダウンロードするようにしてもよい。また、通信ネットワークを介してプログラムを転送しながら起動実行することによっても、上述の処理を達成することができる。さらに、プログラムの全部又は一部をサーバ装置上で実行させ、その処理に関する情報をコンピュータが通信ネットワークを介して送受信しながらプログラムを実行することによっても、上述の処理を達成することができる。
【００９０】
なお、上述の機能を、ＯＳ（Operating System）が分担して実現する場合又はＯＳとアプリケーションとの協働により実現する場合等には、ＯＳ以外の部分のみを上記の記録媒体に格納して配布してもよく、また、コンピュータにダウンロードしてもよい。
【００９１】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００９２】
本発明は、家庭内で使用される電力の管理を行うシステム等に好適に採用され得る。
【符号の説明】
【００９３】
１，１Ａ  エネルギー管理システム、２  制御装置、３  操作端末、４  電力測定装置、５  ＥＶ−ＰＣＳ、６  ＰＶ−ＰＣＳ、７（７−１，７−２，…）  機器、８  商用電源、９  分電盤、１０  ＥＶ、１１  蓄電池、１２  ＰＶパネル、１３  ルータ、１４  サーバ、２０  ＣＰＵ、２１  通信インタフェース、２２  ＲＯＭ、２３  ＲＡＭ、２４  二次記憶装置、２５  バス、２００  ユーザインタフェース部、２０１  電力値取得部、２０２  機器制御部、２０３  ＥＶ−ＰＣＳ制御部、２０４  運転スケジュール生成部、２０５  充電情報画面生成部、２０６  表示指示部、２４０  電力ＤＢ、２４１  機器ＤＢ、２４２  運転スケジュール、Ｄ１〜Ｄ６  電力線
【図１】
2017090173.tif 000003
【図２】
2017090173.tif 000004
【図３】
2017090173.tif 000005
【図４】
2017090173.tif 000006
【図５】
2017090173.tif 000007
【図６】
2017090173.tif 000008
【図７】
2017090173.tif 000009
【図８】
2017090173.tif 000010
【図９】
2017090173.tif 000011
【図１０】
2017090173.tif 000012
【手続補正書】
【提出日】平成29年12月1日(2017.12.1)
【手続補正１】
【補正対象書類名】明細書
【補正対象項目名】０００８
【補正方法】変更
【補正の内容】
【０００８】
上記目的を達成するため、本発明に係る制御装置は、
蓄電池の充電に関する充電情報をユーザインタフェース装置を介してユーザに提示する制御装置であって、
前記蓄電池の充電開始の指示を検出する指示検出手段と、
前記指示が検出されると、指定時刻における前記蓄電池の推定蓄電量と目標蓄電量とに基づいて得られた不足電力量情報と、前記蓄電池の充電期間に節電制御が可能な１以上の機器についての前記充電期間における非節電制御時での推定消費電力量から節電制御時の推定消費電力量を差し引いて得られた推定削減電力量のリストとを含む前記充電情報の表示を前記ユーザインタフェース装置に指示する表示指示手段とを備える。
【手続補正２】
【補正対象書類名】特許請求の範囲
【補正対象項目名】全文
【補正方法】変更
【補正の内容】
【特許請求の範囲】
【請求項１】
蓄電池の充電に関する充電情報をユーザインタフェース装置を介してユーザに提示する制御装置であって、
前記蓄電池の充電開始の指示を検出する指示検出手段と、
前記指示が検出されると、指定時刻における前記蓄電池の推定蓄電量と目標蓄電量とに基づいて得られた不足電力量情報と、前記蓄電池の充電期間に節電制御が可能な１以上の機器についての前記充電期間における非節電制御時での推定消費電力量から節電制御時の推定消費電力量を差し引いて得られた推定削減電力量のリストとを含む前記充電情報の表示を前記ユーザインタフェース装置に指示する表示指示手段とを備える、制御装置。
【請求項２】
前記リストの各レコードには、節電制御が可能な機器と、節電制御の内容とが対応付けられた制御パターンが含まれており、
ユーザにより選択された制御パターンで示される機器を、前記選択された制御パターンで示される制御内容で制御する機器制御手段をさらに備える、請求項１に記載の制御装置。
【請求項３】
前記指定時刻における前記蓄電池の推定蓄電量が前記目標蓄電量に達するように、前記リストから少なくとも１つの制御パターンを選択する自動選択手段をさらに備える、請求項２に記載の制御装置。
【請求項４】
前記リストにおいて、各レコードは、前記推定削減電力量が大きい順にソートされている、請求項１から３の何れか１項に記載の制御装置。
【請求項５】
蓄電池の充電開始の指示を検出し、
前記指示が検出されると、指定時刻における前記蓄電池の推定蓄電量と目標蓄電量とに基づいて得られた不足電力量情報と、前記蓄電池の充電期間に節電制御が可能な１以上の機器についての前記充電期間における非節電制御時での推定消費電力量から節電制御時の推定消費電力量を差し引いて得られた推定削減電力量のリストとを含む充電情報の表示をユーザインタフェース装置に指示する、充電情報表示方法。
【請求項６】
コンピュータを、
蓄電池の充電開始の指示を検出する指示検出手段、
前記指示が検出されると、指定時刻における前記蓄電池の推定蓄電量と目標蓄電量とに基づいて得られた不足電力量情報と、前記蓄電池の充電期間に節電制御が可能な１以上の機器についての前記充電期間における非節電制御時での推定消費電力量から節電制御時の推定消費電力量を差し引いて得られた推定削減電力量のリストとを含む充電情報の表示をユーザインタフェース装置に指示する表示指示手段として機能させる、プログラム。
【国際調査報告】
2017090173.tif 000013
2017090173.tif 000014